(57)【特許請求の範囲】
【請求項１】
１又は複数の第１のユーザ機器に対し、第１のアップリンク−ダウンリンクのサブフレーム設定を少なくとも第１の時間区間で送信するステップと、
前記１又は複数の第１のユーザ機器に含まれる１又は複数の第２のユーザ機器に対し、第２のアップリンク−ダウンリンクのサブフレーム設定を少なくとも第２の時間区間で送信するステップと、を備え、
前記第２のアップリンク−ダウンリンクのサブフレーム設定は、ＴＤＤ（Time division duplex）を再設定するために用いられる情報を含み、
前記第２のアップリンク−ダウンリンクのサブフレーム設定は、ＴＤＤのアップリンク−ダウンリンクのサブフレーム設定の１つを示し、
前記第２のアップリンク−ダウンリンクのサブフレーム設定は、ダウンリンク制御情報で送信され、
無線フレームｎで送信される前記ダウンリンク制御情報は、前記無線フレームｎと次に到着する無線フレーム（ｎ＋１）とのアップリンク−ダウンリンク設定を示す、
通信システムで用いられる通信ノードにて実行される通信方法。
【請求項２】
通信ノードから、第１のアップリンク−ダウンリンクのサブフレーム設定を少なくとも第１の時間区間で受信するステップと、
前記通信ノードから、第２のアップリンク−ダウンリンクのサブフレーム設定を少なくとも第２の時間区間で受信するステップと、を備え、
前記第２のアップリンク−ダウンリンクのサブフレーム設定は、ＴＤＤ（Time division duplex）を再設定するために用いられる情報を含み、
前記第２のアップリンク−ダウンリンクのサブフレーム設定は、ＴＤＤのアップリンク−ダウンリンクのサブフレーム設定の１つを示し、
前記第２のアップリンク−ダウンリンクのサブフレーム設定は、ダウンリンク制御情報で送信され、
無線フレームｎで送信される前記ダウンリンク制御情報は、前記無線フレームｎと次に到着する無線フレーム（ｎ＋１）とのアップリンク−ダウンリンク設定を示す、
通信システムで用いられるユーザ機器にて実行される通信方法。
【請求項３】
１又は複数の第１のユーザ機器に対し、第１のアップリンク−ダウンリンクのサブフレーム設定を少なくとも第１の時間区間で送信するステップと、
前記１又は複数の第１のユーザ機器に含まれる１又は複数の第２のユーザ機器に対し、第２のアップリンク−ダウンリンクのサブフレーム設定を少なくとも第２の時間区間で送信するステップと、を備え、
前記第２のアップリンク−ダウンリンクのサブフレーム設定は、ＴＤＤ（Time division duplex）を再設定するために用いられる情報を含み、
前記第２のアップリンク−ダウンリンクのサブフレーム設定は、ＴＤＤのアップリンク−ダウンリンクのサブフレーム設定の１つを示し、
前記第２のアップリンク−ダウンリンクのサブフレーム設定は、ダウンリンク制御情報で送信され、
前記第２のアップリンク−ダウンリンクのサブフレーム設定は、１つの無線フレームの第２の時間区間で少なくとも繰り返され、
前記ダウンリンク制御情報は、前記第２の時間区間の前半で第１のダウンリンクのサブフレームにより送信されると共に、前記第２の時間区間の後半で所定の第２のダウンリンクのサブフレームにより送信され、
無線フレームｎの前記第２の時間区間の前半で第１のダウンリンクのサブフレームにより送信される前記ダウンリンク制御情報は、前記無線フレームｎのアップリンク−ダウンリンク設定を示し、
前記無線フレームｎの前記第２の時間区間の後半で所定の第２のダウンリンクのサブフレームにより送信される前記ダウンリンク制御情報は、前記無線フレームｎと次に到着する無線フレーム（ｎ＋１）とのアップリンク−ダウンリンク設定を示す、
通信システムで用いられる通信ノードにて実行される通信方法。
【請求項４】
通信ノードから、第１のアップリンク−ダウンリンクのサブフレーム設定を少なくとも第１の時間区間で受信するステップと、
前記通信ノードから、第２のアップリンク−ダウンリンクのサブフレーム設定を少なくとも第２の時間区間で受信するステップと、を備え、
前記第２のアップリンク−ダウンリンクのサブフレーム設定は、ＴＤＤ（Time division duplex）を再設定するために用いられる情報を含み、
前記第２のアップリンク−ダウンリンクのサブフレーム設定は、ＴＤＤのアップリンク−ダウンリンクのサブフレーム設定の１つを示し、
前記第２のアップリンク−ダウンリンクのサブフレーム設定は、ダウンリンク制御情報で送信され、
無線フレームｎの前記第２の時間区間の前半で第１のダウンリンクのサブフレームにより送信される前記ダウンリンク制御情報は、前記無線フレームｎのアップリンク−ダウンリンク設定を示し、
前記無線フレームｎの前記第２の時間区間の後半で所定の第２のダウンリンクのサブフレームにより送信される前記ダウンリンク制御情報は、前記無線フレームｎと次に到着する無線フレーム（ｎ＋１）とのアップリンク−ダウンリンク設定を示す、
通信システムで用いられるユーザ機器にて実行される通信方法。
【請求項５】
１又は複数の第１のユーザ機器に対し、第１のアップリンク−ダウンリンクのサブフレーム設定を少なくとも第１の時間区間で送信すると共に、前記１又は複数の第１のユーザ機器に含まれる１又は複数の第２のユーザ機器に対し、第２のアップリンク−ダウンリンクのサブフレーム設定を少なくとも第２の時間区間で送信する送信機を備え、
前記第２のアップリンク−ダウンリンクのサブフレーム設定は、ＴＤＤ（Time division duplex）を再設定するために用いられる情報を含み、
前記第２のアップリンク−ダウンリンクのサブフレーム設定は、ＴＤＤのアップリンク−ダウンリンクのサブフレーム設定の１つを示し、
前記第２のアップリンク−ダウンリンクのサブフレーム設定は、ダウンリンク制御情報で送信され、
無線フレームｎで送信される前記ダウンリンク制御情報は、前記無線フレームｎと次に到着する無線フレーム（ｎ＋１）とのアップリンク−ダウンリンク設定を示す、
通信システムで用いられる通信ノード。
【請求項６】
通信ノードから、第１のアップリンク−ダウンリンクのサブフレーム設定を少なくとも第１の時間区間で受信すると共に、前記通信ノードから、第２のアップリンク−ダウンリンクのサブフレーム設定を少なくとも第２の時間区間で受信する受信機を備え、
前記第２のアップリンク−ダウンリンクのサブフレーム設定は、ＴＤＤ（Time division duplex）を再設定するために用いられる情報を含み、
前記第２のアップリンク−ダウンリンクのサブフレーム設定は、ＴＤＤのアップリンク−ダウンリンクのサブフレーム設定の１つを示し、
前記第２のアップリンク−ダウンリンクのサブフレーム設定は、ダウンリンク制御情報で送信され、
無線フレームｎで送信される前記ダウンリンク制御情報は、前記無線フレームｎと次に到着する無線フレーム（ｎ＋１）とのアップリンク−ダウンリンク設定を示す、
通信システムで用いられるユーザ機器。
【請求項７】
通信ノードから、１又は複数の第１のユーザ機器に対し、第１のアップリンク−ダウンリンクのサブフレーム設定を少なくとも第１の時間区間で送信するステップと、
前記通信ノードから、前記１又は複数の第１のユーザ機器に含まれる１又は複数の第２のユーザ機器に対し、第２のアップリンク−ダウンリンクのサブフレーム設定を少なくとも第２の時間区間で送信するステップと、を備え、
前記第２のアップリンク−ダウンリンクのサブフレーム設定は、ＴＤＤ（Time division duplex）を再設定するために用いられる情報を含み、
前記第２のアップリンク−ダウンリンクのサブフレーム設定は、ＴＤＤのアップリンク−ダウンリンクのサブフレーム設定の１つを示し、
前記第２のアップリンク−ダウンリンクのサブフレーム設定は、ダウンリンク制御情報で送信され、
無線フレームｎで送信される前記ダウンリンク制御情報は、前記無線フレームｎと次に到着する無線フレーム（ｎ＋１）とのアップリンク−ダウンリンク設定を示す、
通信システムにて実行される通信方法。
【請求項８】
１又は複数の第１のユーザ機器であって、１又は複数の第２のユーザ機器を含む前記第１のユーザ機器と、
前記１又は複数の第１のユーザ機器に対し、第１のアップリンク−ダウンリンクのサブフレーム設定を少なくとも第１の時間区間で送信すると共に、前記１又は複数の第２のユーザ機器に対し、第２のアップリンク−ダウンリンクのサブフレーム設定を少なくとも第２の時間区間で送信する通信ノードと、を備え、
前記第２のアップリンク−ダウンリンクのサブフレーム設定は、ＴＤＤ（Time division duplex）を再設定するために用いられる情報を含み、
前記第２のアップリンク−ダウンリンクのサブフレーム設定は、ＴＤＤのアップリンク−ダウンリンクのサブフレーム設定の１つを示し、
前記第２のアップリンク−ダウンリンクのサブフレーム設定は、ダウンリンク制御情報で送信され、
無線フレームｎで送信される前記ダウンリンク制御情報は、前記無線フレームｎと次に到着する無線フレーム（ｎ＋１）とのアップリンク−ダウンリンク設定を示す、
通信システム。
【発明の詳細な説明】
【技術分野】
【０００１】
本発明は、通信ノードに関する。特に、本発明は、Ｔｉｍｅ  Ｄｉｖｉｓｉｏｎ  Ｄｕｐｌｅｘ（ＴＤＤ）を取り入れた通信システムでのアップリンク及びダウンリンクのサブフレームの割り当て設定に関するものであるが、これに限定されるものではない。
【背景技術】
【０００２】
現在、Ｌｏｎｇ  Ｔｅｒｍ  Ｅｖｏｌｕｔｉｏｎ（ＬＴＥ）スタンダードは、Ｆｒｅｑｕｅｎｃｙ  Ｄｉｖｉｓｉｏｎ  Ｄｕｐｌｅｘ（ＦＤＤ）においてペアを成すスペクトルと、Ｔｉｍｅ  Ｄｉｖｉｓｉｏｎ  Ｄｕｐｌｅｘ（ＴＤＤ）動作においてペアを成していないスペクトルの両方に適合している。ペアを成すスペクトルを用いるＬＴＥ  ＦＤＤは、殆どがＦＤＤのペアを成すスペクトルを用いる、世界中で用いられている現在の３Ｇサービスのための移動経路を形成することが予測されている。しかしながら、ペアを成さないスペクトルを用いるＴＤＤ  ＬＴＥを含むことも、さらに重視されている。ＴＤ−ＬＴＥとしてもまた知られるＴＤＤ  ＬＴＥは、Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ（ＴＤ−ＳＣＤＭＡ）のための、発展した又はアップグレードした経路を提供するものとして見られる。
【０００３】
ＬＴＥ  ＴＤＤシステムを配備することの１つのメリットは、要求に適応するようにアップリンク（ＵＬ）及びダウンリンク（ＤＬ）の容量比を動的に変化することが可能なことである。さらに具体的には、ＬＴＥ  ＴＤＤは、１つの無線フレームにおいて非対称のＵＬ−ＤＬ割り当てを可能にする。非対称のリソース割り当ては、３ｒｄ  Ｇｅｎｅｒａｔｉｏｎ  Ｐａｒｔｎｅｒｓｈｉｐ  Ｐｒｏｊｅｃｔ（３ＧＰＰ）  ＴＳ  ３６．２１１  ｖ１０．５．０（２０１２−０６）の表４．２−２に規定されている通り、所定のフレームにおいて、７つの異なる準静的に設定されたＵＬ−ＤＬサブフレーム設定を提供することにより実現される。これらの割り当ては、４０％から９０％の間のＤＬサブフレームを提供することができる。典型的には、使用されるＵＬ−ＤＬ設定は、専用の放送チャネルで提供されるシステム情報を介してＵＥに信号で伝えられる（及び変化される）。結果として、ＵＬ−ＤＬ設定は、単に準静的に設定されており、即時のトラフィック状況に順応／適応することができない。特に、小人数のユーザがいて、トラフィック状況が典型的に更に頻繁に変化するセル内では、これはリソース活用の観点から非効率的である。
【０００４】
トラフィックが変動する間のＵＬ−ＤＬ設定の非効率性に対処するために、フレキシブルなＴＤＤ設定が、ＬＴＥ−Ａｄｖａｎｃｅｄ（ＬＴＥ−Ａ）リリース１１用に考慮されている。フレキシブルなＴＤＤ設定に関する研究は、小さいセル内のトラフィック適応に基づくＴＤＤ  ＵＬ−ＤＬ再設定を可能にすることで、顕著なパフォーマンスの利益があることを明らかにした。研究は、また、ＴＤＤ  ＵＬ−ＤＬ再設定を伴うシステムのための干渉軽減スキームを提言している。
【発明の概要】
【発明が解決しようとする課題】
【０００５】
フレキシブルなＴＤＤ  ＵＬ−ＤＬ設定のいずれかの実施が実行可能と考えられ得るようになる前には、乗り越えるべきいくつかの課題がある。最も重要な課題のうちの１つは、現在の３ＧＰＰ仕様に重大な影響なく、せいぜい無線フレーム基準でＴＤＤ  ＵＬ−ＤＬ設定の再設定を可能にすると共に、レガシーなユーザ機器（ＵＥ）（即ちリリース８、９、１０）との共存を可能にするシステムデザインを有することである。
【０００６】
明らかに、共存しているレガシーＵＥへの乱れだけでなく、レガシー仕様に重大な変化なしに既存のＬＴＥシステムにおいてフレキシブルなＴＤＤ  ＵＬ−ＤＬ設定を提供することは、有利になるであろう。
【課題を解決するための手段】
【０００７】
本発明の一態様によると、通信システムで用いる通信ノードが提供され、前記通信ノードは、
ノードのカバーエリア内のユーザ機器（ＵＥｓ）に対し、第１のアップリンク−ダウンリンク設定を第１の時間区間内で送信し、
前記ノードのカバーエリア内の選択されたユーザ機器（ＵＥｓ）に対し、第２のアップリンク−ダウンリンク設定を、前記第１の時間区間内で複数の第２の時間区間にわたって送信するように構成され、
前記第２のアップリンク−ダウンリンク設定は、１又は複数の前記選択されたＵＥにより使用される前記通信ノードにより再設定されることが可能な前記第１のアップリンク−ダウンリンク設定内の再設定可能なサブフレームに関する情報を含む。
【０００８】
好ましくは、前記通信ネットワークはＬＴＥネットワークであり、前記通信ノードはＬＴＥリリース１１又はより高度なＬＴＥリリースでの動作用に設定されている。適切には、前記通信ノードは、ＬＴＥリリース８、ＬＴＥリリース９及び／又はＬＴＥリリース１０での動作用に設定された１又は複数のＵＥにサービスを提供する。前記通信ノードは、前記第２のアップリンク−ダウンリンク設定を、ＬＴＥリリース１１又はより高度なＬＴＥリリースでの動作用に設定されたＵＥに対し送信するように構成されてもよい。
【０００９】
適切には、前記第１のアップリンク−ダウンリンク設定は、システム情報ブロックタイプ１（ＳＩＢ１）を用いて放送され、前記第１の時間区間は６４０ｍｓの典型的な期間を有する。前記通信ノードは、好ましくは、前記第２のアップリンク−ダウンリンク設定を、高速シグナリングアプローチに従って前記選択されたＵＥに対し送信するように構成される。前記第２のアップリンク−ダウンリンク設定は、ＬＴＥ  ｔｉｍｅ  ｄｉｖｉｓｉｏｎ  ｄｕｐｌｅｘ（ＴＤＤ）スタンダードの下で定義された、利用可能なＴＤＤ  アップリンク（ＵＬ）−ダウンリンク（ＤＬ）設定から得られてもよい。このような例では、前記利用可能なＴＤＤ  ＵＬ−ＤＬ設定は、アップリンクからダウンリンクへの切り替え時点の周期性に基づくグループに分割されてもよい。
【００１０】
本発明のいくつかの実施形態では、グループ内の全ての設定に共通なサブフレームを識別し、残りのサブフレームを再設定可能なサブフレームとして割り当てることにより、アップリンク−ダウンリンク設定の各グループにおいて、前記再設定可能なサブフレームが識別される。好ましくは、前記第２のアップリンク−ダウンリンク設定は、ダウンリンク制御情報（ＤＣＩ）として送信される。ＤＣＩの巡回冗長検査（ＣＲＣ）は、前記ＤＣＩが高速のアップリンク−ダウンリンク再設定に利用されることを示すｒａｄｉｏ  ｎｅｔｗｏｒｋ  ｔｅｍｐｏｒａｒｙ  ｉｄｅｎｔｉｆｉｅｒ（ＲＮＴＩ）を用いてスクランブルされてもよい。
【００１１】
本発明のいくつかの実施形態では、前記第２の時間区間は、１０ｍｓと４０ｍｓとの間の期間を有してもよい。好ましくは、各第２の時間区間は少なくとも１つの無線フレームの期間を有し、前記ＤＣＩは、各第２の時間区間の前記第１のダウンリンクのサブフレーム内で送信される。このような例では、前記ＤＣＩは、現在の第２の区間及び次に到着する第２の区間のＴＤＤ設定に関する情報を含んでもよい。
【００１２】
本発明のいくつかの実施形態では、各第２の時間区間は、１０ｍｓと４０ｍｓとの間の期間を有してもよい。好ましくは、各第２の時間区間は少なくとも１つの無線フレームの期間を有し、前記ＤＣＩは、各第２の時間区間内で、第２の時間区間の前半で第１のダウンリンクのサブフレームにより送信されると共に、同じ第２の時間区間の後半で所定の第２のダウンリンクのサブフレームにより送信される。そのような場合に、前記第１のダウンリンクのサブフレーム内で送信される前記ＤＣＩは、現在の第２の区間のＴＤＤ設定に関する情報を含んでもよく、前記第２のダウンリンクのサブフレームで送信される前記ＤＣＩは、次に到着する第２の区間のＴＤＤ設定に関する情報を含んでもよい。
【００１３】
本発明のいくつかの実施形態では、前記ＤＣＩは、前記無線フレームの前記ＴＤＤ設定に加えて、干渉軽減又は／及び管理に用いられてもよい、隣接したセル又はクラスタのＴＤＤ設定を構成する情報も含んでもよい。
【００１４】
適切には、各グループにおいて、物理ダウンリンク共有チャネル（ＰＤＳＣＨ）ハイブリッド自動再送要求（ＨＡＲＱ）タイミングは、同じグループ内の他の設定の上位集合であるダウンリンクのサブフレームを有する選択されたグループ内の前記アップリンク−ダウンリンク設定のＰＤＳＣＨ  ＨＡＲＱタイミングに基づく。
【００１５】
好ましくは、グループ用の物理アップリンク共有チャネル（ＰＵＳＣＨ）送信及びＰＵＳＣＨハイブリッド自動再送要求（ＨＡＲＱ）タイミングは、同じグループ内の他の設定の上位集合であるアップリンクのサブフレームを有する前記アップリンク−ダウンリンク設定のＰＵＳＣＨ送信及びＰＵＳＣＨ  ＨＡＲＱタイミングに基づく。
【００１６】
本発明の別の側面では、通信ネットワークの通信ノードのカバーエリア内にあるユーザ機器（ＵＥ）用のアップリンク−ダウンリンク設定の割り当てを設定する方法が提供され、前記方法は、
ノードのカバーエリア内の各ＵＥに対し、第１のアップリンク−ダウンリンク設定を送信すること、及び
前記ノードのカバーエリア内の選択されたユーザ機器（ＵＥｓ）に対し、第２のアップリンク−ダウンリンク設定を、前記第１の時間区間内で複数の第２の時間区間にわたって送信すること、を備え、
前記第２のアップリンク−ダウンリンク設定は、１又は複数の前記選択されたＵＥにより使用される前記通信ノードにより再設定されることが可能な前記アップリンク−ダウンリンク設定内の再設定可能なサブフレームに関する情報を含む。
【００１７】
更に本発明のさらなる側面では、通信ネットワークで用いるユーザ機器が提供され、前記ユーザ機器は、
通信ネットワーク内でサービスノードから第１の時間区間にわたって第１のアップリンク−ダウンリンク設定を受信し、
前記サービスノードから、前記第１の時間区間内で複数の第２の時間区間にわたって第２のアップリンク−ダウンリンク設定を受信するように構成され、
前記第２のアップリンク−ダウンリンク設定は、前記ユーザ機器により使用される前記サービスノードにより再設定されることが可能な前記アップリンク−ダウンリンク設定内の再設定可能なサブフレームに関する情報を含み、
前記ユーザ機器は、前記サービスノードにフィードバックを供給することにより、前記サービスノードがアップリンク又はダウンリンクのサブフレームとして再設定可能なサブフレームを設定可能なように構成される。
【００１８】
更に本発明の他の側面では、通信ネットワークで用いるユーザ機器で実施される方法が提供され、前記方法は、
通信ネットワーク内でサービスノードから第１の時間区間にわたって第１のアップリンク−ダウンリンク設定を受信すること、及び
前記サービスノードから、前記第１の時間区間内で複数の第２の時間区間にわたって第２のアップリンク−ダウンリンク設定を受信すること、を備え、
前記第２のアップリンク−ダウンリンク設定は、前記ユーザ機器により使用される前記サービスノードにより再設定されることが可能な前記アップリンク−ダウンリンク設定内の再設定可能なサブフレームに関する情報を含み、
前記ユーザ機器は、前記サービスノードにフィードバックを供給することにより、
前記サービスノードがアップリンク又はダウンリンクのサブフレームとして再設定可能なサブフレームを設定することができるように構成される。
【００１９】
更に本発明の他の側面では、通信システムが提供され、この通信システムは、
ユーザ機器（ＵＥｓ）と、
ノードのカバーエリア内の前記ＵＥに対し、第１のアップリンク−ダウンリンク設定を第１の時間区間内で送信する通信ノードと、を備え、
前記通信ノードは、前記ノードのカバーエリア内の選択されたユーザ機器（ＵＥｓ）に対し、第２のアップリンク−ダウンリンク設定を、前記第１の時間区間内で複数の第２の時間区間にわたって送信し、
前記第２のアップリンク−ダウンリンク設定は、１又は複数の前記選択されたＵＥにより使用される前記通信ノードにより再設定されることが可能な前記第１のアップリンク−ダウンリンク設定内の再設定可能なサブフレームに関する情報を含む、
ように構成される。
【００２０】
更に本発明の他の側面では、通信システムで実行される方法が提供され、前記方法は、
通信ノードからノードのカバーエリア内のユーザ機器（ＵＥｓ）に対し、第１のアップリンク−ダウンリンク設定を第１の時間区間内で送信すること、及び
前記通信ノードから前記ノードのカバーエリア内の選択されたユーザ機器（ＵＥｓ）に対し、第２のアップリンク−ダウンリンク設定を、前記第１の時間区間内で複数の第２の時間区間にわたって送信すること、を備え、
前記第２のアップリンク−ダウンリンク設定は、１又は複数の前記選択されたＵＥにより使用される前記通信ノードにより再設定されることが可能な前記第１のアップリンク−ダウンリンク設定内の再設定可能なサブフレームに関する情報を含む。
【００２１】
本明細書内でのいかなる関連技術の言及は、関連技術が共通一般知識の一部を形成しているという自認又はいかなる形の示唆ではなく、またそのようにみなされるべきではない。
【発明の効果】
【００２２】
本発明によれば、既存のＬＴＥシステムにおいてフレキシブルなＴＤＤ  ＵＬ−ＤＬ設定を提供することが可能になる。
【図面の簡単な説明】
【００２３】
本発明がより容易に理解され、実効的に実施されるために、本発明の好ましい実施形態を示す添付図面が参照される：
【図１】図１は、フレキシブルなＴＤＤ  ＵＬ−ＤＬ設定をサポートする無線通信システムを表す概要図である；
【図２】図２は、本発明の一実施形態に係るＴＤＤ  ＵＬ−ＤＬ設定のためのグループ分け方法を表す概要図である；
【図３】図３は、本発明の一実施形態に係る長期及び短期の両方のＴＤＤ  ＵＬ−ＤＬ設定の再設定を説明する概要図である；
【図４】図４は、本発明の一実施形態に係る、短期のＴＤＤ  ＵＬ−ＤＬ設定の再設定を伝達するＤＣＩの送信を表す概要図である；
【図５】図５は、本発明の一実施形態に係る、短期のＴＤＤ  ＵＬ−ＤＬ設定の再設定を伝達するＤＣＩの送信を表す概要図である；
【図６】図６は、サブセット♯１内のＴＤＤ設定が選択されたときのＰＤＳＣＨのためのＨＡＲＱタイミングを表す概要図である；
【図７】図７は、サブセット♯２内のＴＤＤ設定が選択されたときのＰＤＳＣＨのためのＨＡＲＱタイミングを表す概要図である；
【図８】図８は、本発明の一実施形態に係る、ＴＤＤ再設定が発生したときのＰＤＳＣＨのための肯定応答（ＡＣＫ）／否定応答（ＮＡＣＫ）フィードバックを表す概要図である；
【図９】図９は、サブセット♯１内のＴＤＤ設定が選択されたときのＰＵＳＣＨのためのＨＡＲＱタイミングを表す概要図である；及び
【図１０】図１０は、サブセット♯２内のＴＤＤ設定が選択されたときのＰＵＳＣＨのためのＨＡＲＱタイミングを表す概要図である。
【発明を実施するための形態】
【００２４】
図１を参照すると、フレキシブルなＴＤＤ  ＵＬ−ＤＬ設定をサポートする無線通信システム１００が示されている。表された無線通信システム１００は、複数の無線端末／携帯通信装置（ＵＥｓ）１０３、１０４との無線接続及びアクセスを提供する１又は複数のｅｖｏｌｖｅｄ  ＮｏｄｅＢｓ（ｅＮＢ）１０１を含む。この例を見ても分かるように、ｅＮＢ１０１は、ＬＴＥリリース１１スタンダード及びそれ以降の下での動作用に設定されているが、逆に、リリース８、リリース９及びリリース１０といった以前のリリースとの互換性を有する。この例では、ＵＥ１０３は、レガシーＵＥ、即ちＬＴＥリリース８、リリース９及び／又はリリース１０仕様での動作用に設定されているＵＥ装置である一方、ＵＥ１０４は、ＬＴＥリリース１１（及びそれ以降）での動作用に設定されている。
【００２５】
この例で、ｅＮＢ１０１はＴＤＤ再設定処理機能１０２を含む。ＴＤＤ再設定処理機能１０２は、レガシーＵＥ１０３とリリース１１及びそれ以降のＵＥ１０４とのため適切な長期及び短期のＴＤＤ  ＵＬ−ＤＬ設定の選択のためのＴＤＤ設定切り替えアルゴリズムを実行するとき、制限されていないタイムフレームで認められるＵＬ−ＤＬトラフィック比率を考慮に入れる。この例で、ｅＮＢ１０１は、システム情報ブロックタイプ１（ＳＩＢ１）１０６を用いて、レガシーＵＥ１０３とリリース１１及びそれ以降のＵＥ１０４とに対して長期のＴＤＤ  ＵＬ−ＤＬ設定を放送する。ＳＩＢ１で送信されたＴＤＤ  ＵＬ−ＤＬ設定は、ＳＩＢ１更新の区間が６４０ｍｓのオーダーであるような長期の設定であるとみなされる。
【００２６】
ｅＮＢ１０１は、また、高速シグナリングアプローチを用いてリリース１１及びそれ以降のＵＥ１０４のみに短期のＴＤＤ  ＵＬ−ＤＬ設定を通信するよう構成される。さらに具体的には、ｅＮＢ１０１は、共通検索領域内において、物理ダウンリンク制御チャネル（ＰＤＣＣＨ）又は拡張ＰＤＣＣＨ（ｅＰＤＣＣＨ）で送信される新しく設計されたダウンリンク制御情報（ＤＣＩ）１０７の形式で短期のＴＤＤ  ＵＬ−ＤＬ設定を送信する。このＤＣＩのＣＲＣは、ｅＩＭＴＡ−ＲＮＴＩという名前の、新しいＲａｄｉｏ  Ｎｅｔｗｏｒｋ  Ｔｅｍｐｏｒａｒｙ  Ｉｄｅｎｔｉｆｉｅｒ（ＲＮＴＩ）によりスクランブルされる。ｅＩＭＴＡ−ＲＮＴＩは、ＤＣＩが、高速のＴＤＤ  ＵＬ−ＤＬ再設定の目的のために用いられることを示す。新たに設計されたＤＣＩに含まれるＴＤＤ  ＵＬ−ＤＬ設定は、ＴＤＤ  ＵＬ−ＤＬ設定の更新のための区間が１０ｍｓ（即ち無線フレーム基準）の頻度であってもよいような短期の設定とみなされる。
【００２７】
従って、図１で表された例では、リリース１１及びそれ以降の用途に設定されているｅＮＢ１０１のカバーエリア内で動作するレガシーＵＥ１０３は、ＳＩＢ１で放送されるＴＤＤ  ＵＬ−ＤＬ設定を用いると共に、ＳＩＢ１で受信されるＴＤＤ  ＵＬ−ＤＬに基づくレガシー仕様に従って動作する。ｅＮＢ１０１は、フレキシブルなサブフレームでのＰＤＳＣＨの受信又はＰＵＳＣＨの送信を実行させるよう、レガシーＵＥ１０３のスケジュール決めをすることができない。フレキシブルなサブフレームの概念は、下記で更に詳細に説明される。
【００２８】
対照的に、ｅＮＢ１０１のカバー内で動作するリリース１１及びそれ以降のＵＥ１０４は、ＳＩＢ１で放送されるＴＤＤ  ＵＬ−ＤＬ設定を受信し使用することを実行することに加えて、短期のＴＤＤ  ＵＬ−ＤＬ設定を処理する必要がある。この例で示されるように、リリース１１及びそれ以降の動作用に設定されているＵＥ１０４は、ＴＤＤ再設定処理機能１０５を含む。ＴＤＤ再設定処理機能１０５は、更新された短期のＵＬ−ＤＬ設定情報を伝える新しく設計されたＤＣＩのブラインド検出を実行する。この機能１０５は、また、ｅＮＢ１０１に対してＰＤＳＣＨ  Ｈ−ＡＲＱフィードバックを送信するためのＰＤＳＣＨ  Ｈ−ＡＲＱの符号化及び適切なＵＬサブフレームの選択を行う。ＰＤＳＣＨ  Ｈ−ＡＲＱフィードバックは、物理アップリンク制御チャネル（ＰＵＣＣＨ）／ＰＵＳＣＨ１０９により伝達される。その上、ＴＤＤ再設定処理機能１０５は、下記でかなり詳細に説明されるタイミング規則を用いて、そのＵＬ認可についてモニターすることになるＤＬサブフレームの決定と、以前に認可されたＵＬサブフレームで送信したアップリンク共有チャネル（ＵＬ−ＳＣＨ）に対応するＨ−ＡＲＱを伝える物理ハイブリッド自動再送要求指示チャネル（ＰＨＩＣＨ）１０８を受信することになるＤＬサブフレームの決定と、を実行する。
【００２９】
上で述べた通り、ＬＴＥ  ＴＤＤは現在７つのＴＤＤ  ＵＬ−ＤＬ設定を提供している。これらの７つの設定は、下記の表１で示される。
【表１】
0006358249.tif 000002
表１：アップリンク−ダウンリンク設定  ＬＴＥ  ＴＤＤ
【００３０】
フレキシブルなＴＤＤ  ＵＬ−ＤＬ設定を採用するために３ＧＰＰ仕様への影響をなおも最小に保つ一方、短期のＴＤＤ  ＵＬ−ＤＬ設定の選択においてフレキシビリティの度合いを最大にするために、本発明の実施形態は、設定可能な／フレキシブルなサブフレームの概念を利用する。図２は、フレキシブルなサブフレーム２００として用いることができる適切なサブフレームの決定を表している。表１を見ても分かるように、サブフレームは、ｅＮＢ１０１により、ＤＬサブフレーム、ＵＬサブフレーム又は特別なＳサブフレームのいずれかとして設定されることができる。フレキシブルなサブフレームとして用いることができるサブフレームを決定するために、ＴＤＤ  ＵＬ−ＤＬ設定は、ＤＬからＵＬへの切り替え時点の周期性に対応するグループ２０１、２０２に分けられる。７つのＴＤＤ  ＵＬ−ＤＬ設定（スーパーグループ）の現在のＬＴＥ  ＴＤＤスーパーグループについて、２つの可能な切り替え時点の周期性のグループ分けが存在する。５ｍｓのＤＬからＵＬへの切り替え時点の周期性に対応する１つのグループ分け２０１と、１０ｍｓのＤＬからＵＬへの切り替え時点の周期性に対応する１つのグループ分け２０２とである。
【００３１】
サブフレームのそれぞれ識別されたグループ２０１、２０２内で、共通のサブフレーム割り当てが見受けられる。それぞれの識別されたグループ２０１、２０２内での様々なサブフレームが全てのダウンリンク、全ての特別な又は全てのアップリンクサブフレーム２０３として割り当てられている。ＤＬ、ＵＬ又はＳとして割り当てられていない残りのサブフレーム２０４は、フレキシブルなサブフレームとして用いることができ、ここでは、ｅＮＢ１０１によって、無線フレーム基準におけるＤＬ又はＵＬサブフレームのいずれかに再設定されてもよい。
【００３２】
図２から分かるように、このようにして、サブフレームのグループ分けは２つのサブセットを生成する。サブセット♯１  ２０５は、５ｍｓのＤＬからＵＬへの切り替え時点の周期性に対応し、フレキシブルなサブフレームとしてサブフレーム３、４、８及び９を有する。一方で、サブセット♯２  ２０６は、１０ｍｓのＤＬからＵＬへの切り替え時点の周期性に対応し、フレキシブルなサブフレームとしてサブフレーム３及び４を有する。３ＧＰＰ仕様への影響を最小にするため、短期のＴＤＤ  ＵＬ−ＤＬ設定の再設定は、グループ内で利用可能なＴＤＤ  ＵＬ−ＤＬ設定内に制限されることを提案する。長期のＴＤＤ  ＵＬ−ＤＬ設定の再設定は、スーパーグループ内で利用可能な全てのＴＤＤ  ＵＬ−ＤＬ設定内で選択されてもよい。
【００３３】
長期及び短期のＴＤＤ  ＵＬ−ＤＬ設定の再設定の概念が、更に図３に示されている。示されるように、システム２５０は、区間Ｔ１で有効な長期のＴＤＤ  ＵＬ−ＤＬ設定２５１と、区間Ｔ２で有効な短期のＴＤＤ  ＵＬ−ＤＬ設定２５２とを有する。図に示すように、区間Ｔ１は複数個のＴ２区間で構成され、一方、各Ｔ２区間は、１又は複数個の無線フレームで構成される。ｅＮＢ１０１は、各Ｔ１区間の間のＴ１境界でだけ、ＴＤＤ  ＵＬ−ＤＬ設定を変えられる。全てのサービスを受けるＵＥのＤＬ−ＵＬトラフィックに基づいて、ｅＮＢ１０１は、Ｔ１区間のための、スーパーグループ内で利用可能な任意のＴＤＤ  ＵＬ−ＤＬ設定を選択してもよい。全てのリリース１１及びそれ以降のＵＥと、あるいはレガシーＵＥとのＤＬ−ＵＬトラフィックに基づく。ｅＮＢ１０１は、Ｔ２区間のための、グループ内で利用可能な任意のＴＤＤ  ＵＬ−ＤＬ設定を選択してもよい。
【００３４】
図３で表された例で示されるように、区間Ｔ１の開始境界の直後の開始境界を有する、第１のＴ２区間２５３のＴＤＤ  ＵＬ−ＤＬ設定は、ｅＮＢによって、現在のＴ１区間として同一のＴＤＤ  ＵＬ−ＤＬ設定グループを有するように設定される。この場合、第１のＴ２区間のＴＤＤ  ＵＬ−ＤＬ設定は、その親Ｔ１区間の同一のＴＤＤ  ＵＬ−ＤＬ設定♯１を有する。ＴＤＤ  ＵＬ−ＤＬ設定♯１に加えて、ｅＮＢは、第１のＴ２区間がＴＤＤ  ＵＬ−ＤＬ設定♯０、２又は６を有するように設定してもよい。
【００３５】
場合によっては、ｅＮＢ１０１は、衝突の場合、又は、ＵＥ１０４が、ｅＮＢが設定したＴＤＤ  ＵＬ−ＤＬ設定を誤って検出するかもしれない場合に、第１のＴ２区間のＴＤＤ  ＵＬ−ＤＬ設定を、その親Ｔ１区間のＴＤＤ  ＵＬ−ＤＬ設定グループと部分的に異なるように設定してもよい。この例で示されるように、境界Ｔ２区間２５４のＴＤＤ  ＵＬ−ＤＬ設定は、グループ２０１に属するＴＤＤ  ＵＬ−ＤＬ設定♯１を有する一方、その親Ｔ１区間のＴＤＤ  ＵＬ−ＤＬ設定は、グループ２０２に属するＴＤＤ  ＵＬ−ＤＬ設定♯４を有する。このような例では、ＬＴＥリリース１１及びそれ以降の動作用に設定されているＵＥ１０４は、ＵＬ−ＤＬ設定♯４として同じグループに属する新しい短期のＴＤＤ  ＵＬ−ＤＬ設定を伝達する、新しく設計されたＤＣＩの受信に成功するまで、検出されたＴ２のＴＤＤ  ＵＬ−ＤＬ設定を無視し、受信されたＴ１のＴＤＤ  ＵＬ−ＤＬ設定をＰＤＳＣＨの受信及びＰＵＳＣＨの送信のために適用する。
【００３６】
上で述べた通り、短期のＴＤＤ  ＵＬ−ＤＬ設定の使用を可能にするために、新しく設計されたＤＣＩが提供される。短期のＴＤＤ  ＵＬ−ＤＬ設定を伝達する新たなＤＣＩの送信方法は数多くあるが、図４及び図５は、新たなＤＣＩの２つの典型的な送信方法を表している。
【００３７】
図４を参照すると、本発明の一実施形態に従って、ＤＣＩの送信のために１つの設定（送信スキーム）３００が示されている。示されるように、Ｔ１区間で有効な長期のＴＤＤ  ＵＬ−ＤＬ設定３０１が提供され、Ｔ２区間で有効な短期のＴＤＤ  ＵＬ−ＤＬ設定３０２。各Ｔ２区間では、新しく設計されたＤＣＩの送信のために、ｅＮＢ１０１によって第１のＤＬサブフレーム３０３が選択される。隣接したセル又はクラスタのＴＤＤ設定を含む他の必要な情報が干渉軽減又は／及び管理のために用いられてもよいのと同様、新しく設計されたＤＣＩは、現在のＴ２区間のための短期のＴＤＤ  ＵＬ−ＤＬ設定を含み、次に到着するＴ２区間のための短期のＴＤＤ  ＵＬ−ＤＬ設定をさらに含む。
【００３８】
図５には、本発明の一実施形態に従って、ＤＣＩの送信のための代替の送信スキーム４００が表されている。上述の場合、Ｔ１区間で有効な長期のＴＤＤ  ＵＬ−ＤＬ設定４０１と、Ｔ２区間で有効な短期のＴＤＤ  ＵＬ−ＤＬ設定４０２である。各Ｔ２区間では、第１のＤＬサブフレーム４０３が、第１のＤＣＩを送信するためにｅＮＢ１０１で選択される。この第１のＤＣＩは、他の重要な情報と同様に、現在の区間Ｔ２のための短期のＴＤＤ  ＵＬ−ＤＬ設定を含む。同じＴ２区間では、ｅＮＢ１０１は、第２のＤＣＩ送信のためにＴ２区間の後半に属する第２のＤＬサブフレーム４０３ａを選択する。第２のＤＣＩは、他の重要な情報と同様に、次に到着するＴ２区間のための短期のＴＤＤ  ＵＬ−ＤＬ設定を含む。
【００３９】
図４及び図５において表される送信スキームのいずれかにおいて、ＬＴＥリリース１１及びそれ以降の動作用に設定されているＵＥ１０４は、現在のＴ２区間のための短期のＴＤＤ  ＵＬ−ＤＬ設定の受信に成功したとき、１つであれば、直近の前のＴ２区間においてそのために設定された短期のＴＤＤ  ＵＬ−ＤＬ設定と比較する。マッチしていれば、ＵＥは、短期のＴＤＤ  ＵＬ−ＤＬ設定及び現在の区間Ｔ２のための関連するタイミング規則を適用する。そうでなければ、ＳＩＢ１で受信されたＴＤＤ  ＵＬ−ＤＬ設定を適用してもよい。
【００４０】
上述の説明で示されたように、タイミング規則は、本発明において、フレキシブルなＴＤＤ設計を容易にするために利用される。例えば、タイミング規則は、ＰＤＳＣＨ  ＨＡＲＱリソースマッピング、ＰＵＳＣＨ送信及びＰＵＳＣＨ  ＨＡＲＱリソースマッピングのために利用される。重大な仕様の変更を回避し、将来の３ＧＰＰリリースの能力を先に提供するために、ＬＴＥ  ＴＤＤのための現在の３ＧＰＰスタンダードの下で定義されるタイミングテーブルは再使用される。
【００４１】
一実施形態において、グループのためのＰＤＳＣＨ  ＨＡＲＱタイミング規則は、同じグループにおける他の設定の上位集合であるダウンリンクサブフレームを有する設定のＰＤＳＣＨ  ＨＡＲＱタイミングに基づいていてもよい。図２のグループ２０１において、設定２は同一のグループ内の他の設定の上位集合であるダウンリンクサブフレームを有する。設定２のＰＤＳＣＨ  ＨＡＲＱタイミングは、それ自体として、サブセット１  ２０５のために利用される。図６は、現在のＬＴＥ  ＴＤＤスタンダードに従った設定２のＰＤＳＣＨ  ＨＡＲＱタイミングを表している。図２のグループ２０２では、設定５は、同じグループ内の他の設定の上位集合であるダウンリンクサブフレームを有する。このため、構成５のＰＤＳＣＨ  ＨＡＲＱタイミングは、サブセット２  ２０６のために用いられる。図７は、現在のＬＴＥ  ＴＤＤスタンダードに従った設定５のＰＤＳＣＨ  ＨＡＲＱタイミングを説明している。
【００４２】
図８は、ＴＤＤ再設定５００が生じたときに、同じグループ内の他の設定の上位集合であるダウンリンクサブフレームを有する設定のＰＤＳＣＨ  ＨＡＲＱタイミングに基づくＰＤＳＣＨ  ＨＡＲＱタイミングを利用した、ＰＤＳＣＨのためのＡＣＫ／ＮＡＣＫフィードバックを表す。この例では、設定２のＰＤＳＣＨ  ＨＡＲＱタイミングは、無線フレーム（ｎ−１）のために用いられ、設定される。その後、無線フレーム（ｎ）の処理は、無線フレーム（ｎ）での提案されたタイミング規則のＵＬサブフレーム２  ５０１が、無線フレーム（ｎ−１）のサブフレーム４、５、６及び８で受信されたＰＤＳＣＨのためのＨＡＲＱフィードバックを伝達するためになおも選択されている状況で、ＴＤＤ  ＵＬ−ＤＬ設定０により再設定される。また、提案された規則によると、無線フレーム（ｎ）のＵＬサブフレーム７  ５０２は、無線フレーム（ｎ−１）のサブフレーム９及び無線フレーム（ｎ）のサブフレーム０、１及び３で受信されたＰＤＳＣＨのためのＨＡＲＱフィードバックを伝達するよう選択される。今、無線フレーム（ｎ）がＴＤＤ  ＵＬ−ＤＬ設定０により設定されているため、サブフレーム３は最早ＤＬサブフレームではない。サブフレーム３の設定の変更に対処するため、不連続送信及び受信（ＤＴＸ）ビットが、既存のＬＴＥ  ＴＤＤ  ＰＤＳＣＨ  ＨＡＲＱ−ＡＣＫ  マッピングテーブルの再使用を容易にするために、ＵＥ１０４によって含まれてもよい。換言すれば、無線フレーム（ｎ）のＵＬサブフレーム７は、無線フレーム（ｎ−１）のＤＬサブフレーム９と、無線フレーム（ｎ）のサブフレーム０及び１と、無線フレーム（ｎ）のＤＬサブフレーム３に対応するＤＴＸビット５０３と、で受信されるＰＤＳＣＨのためのＨＡＲＱフィードバックを伝達するために選択される。同じようなやり方で、次の無線フレーム（ｎ＋１）は、即時のＵＬ−ＤＬトラフィックに適応するためにＴＤＤ  ＵＬ−ＤＬ設定６により再設定され、無線フレーム（ｎ＋１）のＵＬサブフレーム２  ５０４は、無線フレーム（ｎ）のＤＬサブフレーム５及び６と、無線フレーム（ｎ）のＤＬサブフレーム４及び８に対応するＤＴＸビット５０５及び５０６と、で受信されたＰＤＳＣＨのためのＨＡＲＱフィードバックを伝達するために選択される。
【００４３】
一実施形態では、グループにおけるＰＵＳＣＨ送信とＰＵＳＣＨ  ＨＡＲＱタイミング規則とは、フレキシブルなＴＤＤの設計されたサブセット用に用いられる同じグループでの他の設定の上位集合であるアップリンクサブフレームを有する設定のＰＵＳＣＨ送信とＰＵＳＣＨ  ＨＡＲＱタイミングとに基づく。図２に示されるように、グループ２０１では、設定０は、同じグループ内の他の設定の上位集合であるアップリンクサブフレームを有し、それに応じて設定０のＰＵＳＣＨ送信とＰＵＳＣＨ  ＨＡＲＱタイミングは、サブセット１  ２０５に用いられる。図９は、ＬＴＥ  ＴＤＤのための現在の３ＧＰＰスタンダードの下で定義されたタイミングテーブルを利用した、サブセット１内の設定０のためのＰＵＳＣＨ送信とＰＵＳＣＨ  ＨＡＲＱタイミングを示している。図２のグループ２では、設定３は、同じグループにおいて他の設定の上位集合であるアップリンクサブフレームを有する。それ自体として、設定３のＰＵＳＣＨ送信及びＰＵＳＣＨ  ＨＡＲＱタイミングは、サブセット２の２０６に利用される。図１０は、ＬＴＥ  ＴＤＤのための現在の３ＧＰＰスタンダードの下で定義されたタイミングテーブルを利用した、サブセット２のタイミング内の設定３のためのＰＵＳＣＨ送信とＰＵＳＣＨ  ＨＡＲＱタイミングを示している。
【００４４】
当業者により分かる通り、本発明のフレキシブルなＴＤＤ設計は、予測されたやり方で、セル間の干渉緩和のスキームが実現されることを可能にする。例えば、適切な干渉緩和のスキームは、サブセット♯２内の固定されたＤＬサブフレーム♯７から、サブセット♯１内の固定されたＵＬサブフレーム♯７へのＤＬ干渉を軽減するのに用いられてもよい。同様に、適切な干渉緩和のスキームは、サブセット♯２内の固定されたＤＬサブフレーム♯８及び♯９から、設計されたサブセット♯１内のフレキシブルなＵＬサブフレーム♯８及び９へのＤＬ干渉を軽減するのに用いられてもよい。
【００４５】
上述の処理は、コンピュータ（例えば、ｅＮＢ／ＵＥ）により実行されてもよい。また、プログラム可能なコンピュータ装置に上述の処理を実行させるコンピュータプログラムを提供することも可能である。プログラムは、任意の種類の非一時的なコンピュータ可読媒体を用いて格納され、コンピュータに提供されることができる。非一時的なコンピュータ可読媒体は、任意の種類の実体のある記憶媒体を含む。非一時的なコンピュータ可読媒体の例は、磁気記憶媒体（例えばフレキシブルディスク、磁気テープ、ハードディスクドライブ等）、光磁気記憶媒体（例えば光磁気ディスク）、ＣＤ−ＲＯＭ、ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（Ｒａｎｄｏｍ  Ａｃｃｅｓｓ  Ｍｅｍｏｒｙ）等）を含む。ソフトウェアモジュールは、任意の種類の一時的なコンピュータ可読媒体を用いてコンピュータに提供されてもよい。一時的なコンピュータ可読媒体の例は、電気信号、光信号、及び電磁波を含む。一時的なコンピュータ可読媒体は、（例えば電線、光ファイバといった）有線通信路、又は無線通信路を経由して、ソフトウェアモジュールをコンピュータに提供できる。
【００４６】
上述の実施形態は、単なる本発明の例示として提供されたものであり、それへの更なる変更及び改良は、当業者にとって明確であるように、ここで述べられた本発明の広いスコープ及び領域内に含まれるとみなされるということが理解されるべきである。換言すれば、請求項により定義される通りの本発明の精神及びスコープから逸脱しない限り、その中で様々な形式や詳細の変化がなされてもよいことは、当業者に理解されるであろう。例えば、本発明は、以下の形式で実施されることができる。
【００４７】
（１）通信システムで用いる通信ノードであって、ノードのカバーエリア内のユーザ機器（ＵＥｓ）に対し、第１のアップリンク−ダウンリンク設定を第１の時間区間内で送信し、前記ノードのカバーエリア内の選択されたユーザ機器（ＵＥｓ）に対し、第２のアップリンク−ダウンリンク設定を、第１の時間区間内で複数の第２の時間区間にわたって送信するように構成され、前記第２のアップリンク−ダウンリンク設定は、１又は複数の前記選択されたＵＥにより使用される前記通信ノードにより再設定されることが可能な前記第１のアップリンク−ダウンリンク設定内の再設定可能なサブフレームに関する情報を含む、通信ノード。
（２）前記通信ネットワークはＬＴＥネットワークであり、前記通信ノードはＬＴＥリリース１１又はより高度なＬＴＥリリースでの動作用に設定されている、項目（１）に記載の通信ノード。
（３）ＬＴＥリリース８、ＬＴＥリリース９及び／又はＬＴＥリリース１０での動作用に設定された１又は複数のＵＥにサービスを提供する、項目（２）に記載の通信ノード。
（４）前記第２のアップリンク−ダウンリンク設定は、ＬＴＥリリース１１又はより高度なＬＴＥリリースでの動作用に設定されたＵＥに対し送信される、項目（２）又は項目（３）に記載の通信ノード。
（５）前記第１のアップリンク−ダウンリンク設定は、システム情報ブロックタイプ１（ＳＩＢ１）を用いて放送され、前記第１の時間区間は６４０ｍｓの典型的な期間を有する、項目（１）に記載の通信ノード。
（６）前記第２のアップリンク−ダウンリンク設定は、高速シグナリングアプローチに従って前記選択されたＵＥに対し送信される、項目（１）に記載の通信ノード。
（７）前記第２のアップリンク−ダウンリンク設定は、ＬＴＥ  ｔｉｍｅ  ｄｉｖｉｓｉｏｎ  ｄｕｐｌｅｘ（ＴＤＤ）スタンダードの下で、ＴＤＤ  アップリンク（ＵＬ）−ダウンリンク（ＤＬ）設定から得られる、項目（７）に記載の通信ノード。
（８）前記ＴＤＤ  ＵＬ−ＤＬ設定は、アップリンクからダウンリンクへの切り替え時点の周期性に基づくグループに分割される、項目（１）に記載の通信ノード。
（９）グループ内の全ての設定に共通なサブフレームを識別し、残りのサブフレームを再設定可能なサブフレームとして割り当てることにより、アップリンク−ダウンリンク設定の各グループにおいて、前記再設定可能なサブフレームが識別される、項目（８）に記載の通信ノード。
（１０）前記第２のアップリンク−ダウンリンク設定は、ダウンリンク制御情報（ＤＣＩ）として送信される、項目（６）に記載の通信ノード。
（１１）ＤＣＩの巡回冗長検査（ＣＲＣ）は、前記ＤＣＩが高速のアップリンク−ダウンリンク再設定に利用されることを示すｒａｄｉｏ  ｎｅｔｗｏｒｋ  ｔｅｍｐｏｒａｒｙ  ｉｄｅｎｔｉｆｉｅｒ（ＲＮＴＩ）を用いてスクランブルされる、項目（１０）に記載の通信ノード。
（１２）各第２の時間区間は少なくとも１つの無線フレームの期間を有し、前記ＤＣＩは、各第２の時間区間の前記第１のダウンリンクのサブフレーム内で送信される、項目（１０）に記載の通信ノード。
（１３）前記ＤＣＩは、現在のフレーム及び次に到着するフレームのＴＤＤ設定に関する情報を含む、項目（１２）に記載の通信ノード。
（１４）各第２の時間区間は少なくとも１つの無線フレームの期間を有し、前記ＤＣＩは、各第２の時間区間内で、前記第２の時間区間の前半で第１のダウンリンクのサブフレームにより送信されると共に、前記第２の時間区間の後半で所定の第２のダウンリンクのサブフレームにより送信される、項目（１０）に記載の通信ノード。
（１５）前記第１のダウンリンクのサブフレーム内で送信される前記ＤＣＩは、現在のフレームのＴＤＤ設定に関する情報を含み、前記第２のダウンリンクのサブフレームで送信される前記ＤＣＩは、次のフレームのＴＤＤ設定に関する情報を含む、項目（１４）に記載の通信ノード。
（１６）各グループにおいて、物理ダウンリンク共有チャネル（ＰＤＳＣＨ）ハイブリッド自動再送要求（ＨＡＲＱ）タイミングは、同じグループ内の他の設定の上位集合であるダウンリンクのサブフレームを有する選択されたグループ内の前記アップリンク−ダウンリンク設定のＰＤＳＣＨ  ＨＡＲＱタイミングに基づく、項目（８）から（１５）のいずれか１項に記載の通信ノード。
（１７）グループ用の物理アップリンク共有チャネル（ＰＵＳＣＨ）送信及びＰＵＳＣＨハイブリッド自動再送要求（ＨＡＲＱ）タイミングは、同じグループ内の他の設定の上位集合であるアップリンクのサブフレームを有する前記アップリンク−ダウンリンク設定のＰＵＳＣＨ送信及びＰＵＳＣＨ  ＨＡＲＱタイミングに基づく、項目（８）から（１５）のいずれか１項に記載の通信ノード。
（１８）通信ネットワークの通信ノードのカバーエリア内にあるユーザ機器（ＵＥ）用のアップリンク−ダウンリンク設定の割り当てを設定する方法であって、ノードのカバーエリア内の各ＵＥに対し、第１のアップリンク−ダウンリンク設定を送信すること、及び、前記ノードのカバーエリア内の選択されたユーザ機器（ＵＥｓ）に対し、第２のアップリンク−ダウンリンク設定を、前記第１の時間区間内で複数の第２の時間区間にわたって送信すること、を備え、前記第２のアップリンク−ダウンリンク設定は、１又は複数の前記選択されたＵＥにより使用される前記通信ノードにより再設定されることが可能な前記アップリンク−ダウンリンク設定内の再設定可能なサブフレームに関する情報を含む、方法。
（１９）通信ネットワークで用いるユーザ機器であって、通信ネットワーク内でサービスノードから第１の時間区間にわたって第１のアップリンク−ダウンリンク設定を受信し、前記サービスノードから、前記第１の時間区間内で複数の第２の時間区間にわたって第２のアップリンク−ダウンリンク設定を受信するように構成され、前記第２のアップリンク−ダウンリンク設定は、前記ユーザ機器により使用される前記サービスノードにより再設定されることが可能な前記アップリンク−ダウンリンク設定内の再設定可能なサブフレームに関する情報を含み、前記ユーザ機器は、前記サービスノードにフィードバックを供給することにより、前記サービスノードがアップリンク又はダウンリンクのサブフレームとして再設定可能なサブフレームを設定可能なように構成される。
（２０）通信ネットワークで用いるユーザ機器で実施される方法であって、通信ネットワーク内でサービスノードから第１の時間区間にわたって第１のアップリンク−ダウンリンク設定を受信すること、及び、前記サービスノードから、前記第１の時間区間内で複数の第２の時間区間にわたって第２のアップリンク−ダウンリンク設定を受信すること、を備え、前記第２のアップリンク−ダウンリンク設定は、前記ユーザ機器により使用される前記サービスノードにより再設定されることが可能な前記アップリンク−ダウンリンク設定内の再設定可能なサブフレームに関する情報を含み、前記ユーザ機器は、前記サービスノードにフィードバックを供給することにより、前記サービスノードがアップリンク又はダウンリンクのサブフレームとして再設定可能なサブフレームを設定することができるように構成される方法。
（２１）ユーザ機器（ＵＥｓ）と、ノードのカバーエリア内の前記ＵＥに対し、第１のアップリンク−ダウンリンク設定を第１の時間区間内で送信する通信ノードと、を備え、前記通信ノードは、前記ノードのカバーエリア内の選択されたユーザ機器（ＵＥｓ）に対し、第２のアップリンク−ダウンリンク設定を、前記第１の時間区間内で複数の第２の時間区間にわたって送信し、前記第２のアップリンク−ダウンリンク設定は、１又は複数の前記選択されたＵＥにより使用される前記通信ノードにより再設定されることが可能な前記第１のアップリンク−ダウンリンク設定内の再設定可能なサブフレームに関する情報を含む通信システム。
（２２）通信システムで実行される方法であって、通信ノードからノードのカバーエリア内のユーザ機器（ＵＥｓ）に対し、第１のアップリンク−ダウンリンク設定を第１の時間区間内で送信すること、及び、前記通信ノードから前記ノードのカバーエリア内の選択されたユーザ機器（ＵＥｓ）に対し、第２のアップリンク−ダウンリンク設定を、前記第１の時間区間内で複数の第２の時間区間にわたって送信すること、を備え、前記第２のアップリンク−ダウンリンク設定は、１又は複数の前記選択されたＵＥにより使用される前記通信ノードにより再設定されることが可能な前記第１のアップリンク−ダウンリンク設定内の再設定可能なサブフレームに関する情報を含む方法。
（２３）通信システムで用いる通信ノードであって、ノードのカバーエリア内のユーザ機器（ＵＥｓ）に対し、第１のアップリンクダウンリンク設定を第１の時間区間内で送信し、前記ノードのカバーエリア内の選択されたユーザ機器（ＵＥｓ）に対し、第２のアップリンクダウンリンク設定を、前記第１の時間区間内で複数の第２の時間区間にわたって送信するように構成され、前記第２のアップリンクダウンリンク設定は、１又は複数の前記選択されたＵＥにより使用される前記ノードにより再設定されることが可能な前記アップリンクダウンリンク設定内の再設定可能なサブフレームに関する情報を含むノード。
（２４）前記通信ネットワークはＬＴＥネットワークであり、前記ノードはＬＴＥリリース１１又はより高度なＬＴＥリリースでの動作用に設定されている、項目（２３）に記載の通信ノード。
（２５）ＬＴＥリリース８、ＬＴＥリリース９及び／又はＬＴＥリリース１０での動作用に設定された１又は複数のＵＥにサービスを提供する、項目（２４）に記載の通信ノード。
（２６）前記第２のアップリンクダウンリンク設定は、ＬＴＥリリース１１又はより高度なＬＴＥリリースでの動作用に設定されたＵＥに対し送信される、項目（２４）又は項目（２５）に記載の通信ノード。
（２７）前記第１のアップリンクダウンリンク設定は、システム情報ブロックタイプ１（ＳＩＢ１）を用いて放送され、前記第１の時間区間は６４０ｍｓの典型的な期間を有する、項目（２４）から（２６）のいずれか１項に記載の通信ノード。
（２８）前記第２のアップリンクダウンリンク設定は、高速シグナリングアプローチに従って前記選択されたＵＥに対し送信される、項目（２４）から（２７）のいずれか１項に記載の通信ノード。
（２９）前記第２のアップリンクダウンリンク設定は、ＬＴＥ  ＴＤＤスタンダードの下で、利用可能なＴＤＤ  ＵＬ−ＤＬ設定から得られる、項目（２３）から（２８）のいずれか１項に記載の通信ノード。
（３０）前記利用可能なＴＤＤ  ＵＬ−ＤＬ設定は、アップリンクからダウンリンクへの切り替え時点の周期性に基づくグループに分割される、項目（２９）に記載の通信ノード。
（３１）グループ内の全ての設定に共通なサブフレームを識別し、残りのサブフレームを再設定可能なサブフレームとして割り当てることにより、アップリンクダウンリンク設定の各グループにおいて、前記再設定可能なサブフレームが識別される、項目（３０）に記載の通信ノード。
（３２）前記第２のアップリンク−ダウンリンク設定は、特定のダウンリンク制御情報（ＤＣＩ）として送信される、項目（２８）から（３１）のいずれか１項に記載の通信ノード。
（３３）前記ＤＣＩのＣＲＣは、前記ＤＣＩが高速のアップリンクダウンリンク再設定に利用されることを示すＲａｄｉｏ  Ｎｅｔｗｏｒｋ  Ｔｅｍｐｏｒａｒｙ  Ｉｄｅｎｔｉｆｉｅｒ（ＲＮＴＩ）を用いてスクランブルされる、項目（３２）に記載の通信ノード。
（３４）各第２の時間区間は少なくとも１つの無線フレームの期間を有し、前記ＤＣＩは、各第２の時間区間の前記第１のダウンリンクのサブフレーム内で送信される、項目（３２）又は（３３）に記載の通信ノード。
（３５）前記ＤＣＩは、現在のフレーム及び次に到着するフレームの前記ＴＤＤ設定に関する情報を含む、項目（３４）に記載の通信ノード。
（３６）各第２の時間区間は少なくとも１つの無線フレームの期間を有し、前記ＤＣＩは、各第２の時間区間内で、前記第２の時間区間の前半で第１のダウンリンクのサブフレームにより送信されると共に、前記第２の時間区間の後半で所定の第２のダウンリンクのサブフレームにより送信される、項目（３２）又は（３３）に記載の通信ノード。
（３７）前記第１のダウンリンクのサブフレーム内で送信される前記ＤＣＩは、現在のフレームの前記ＴＤＤ設定に関する情報を含み、前記第２のダウンリンクのサブフレームで送信される前記ＤＣＩは、次に到着するフレームの前記ＴＤＤ設定に関する情報を含む、項目（３６）に記載の通信ノード。
（３８）各グループにおいて、ＰＤＳＣＨ  ＨＡＲＱタイミングは、同じグループ内の他の設定の上位集合であるダウンリンクのサブフレームを有する選択されたグループ内の前記アップリンクダウンリンク設定のＰＤＳＣＨ  ＨＡＲＱタイミングに基づく、項目（３０）から（３７）のいずれか１項に記載の通信ノード。
（３９）グループにおけるＰＵＳＣＨ送信及びＰＵＳＣＨ  ＨＡＲＱタイミングは、同じグループ内の他の設定の上位集合であるアップリンクのサブフレームを有するアップリンクダウンリンク設定のＰＵＳＣＨ送信及びＰＵＳＣＨ  ＨＡＲＱタイミングに基づく、項目（３０）から（３８）のいずれか１項に記載の通信ノード。
（４０）通信ネットワークの通信ノードのカバーエリア内でユーザ機器（ＵＥｓ）へのアップリンクダウンリンクの割り当てを設定する方法であって、ノードのカバーエリア内の各ＵＥに対し、第１のアップリンクダウンリンク設定を送信すること、及び前記ノードのカバーエリア内の選択されたユーザ機器（ＵＥｓ）に対し、第２のアップリンクダウンリンク設定を、第１の時間区間内で複数の第２の時間区間にわたって送信すること、のステップを備え、前記第２のアップリンクダウンリンク設定は、１又は複数の前記選択されたＵＥにより使用される前記ノードにより再設定されることが可能なアップリンクダウンリンク設定内の再設定可能なサブフレームに関する情報を含む、方法。
（４１）通信ネットワーク内で用いられる携帯通信機器であって、通信ネットワーク内でサービス通信ノードから第１の時間区間にわたって第１のアップリンクダウンリンク設定を受信し、前記サービスノードから、前記第１の時間区間内で複数の第２の時間区間にわたって第２のアップリンクダウンリンク設定を受信するように構成され、前記第２のアップリンクダウンリンク設定は、前記携帯通信機器により使用される前記ノードにより再設定されることが可能なアップリンクダウンリンク設定内の再設定可能なサブフレームに関する情報を含み、前記携帯通信機器は、前記サービスノードにフィードバックを供給することにより、前記ノードがアップリンク又はダウンリンクのサブフレームとして再設定可能なサブフレームを設定可能なように構成される、携帯通信機器。
（４２）項目（２３）から（３９）で定義された１又は複数のノードと、項目（４０）で定義された１又は複数の携帯通信機器と、を備え、前記ノードは前記１又は複数の携帯通信機器にサービスを提供する、通信システム。
【００４８】
この出願は、２０１２年１０月１２日に出願されたオーストラリア国仮特許出願Ｎｏ．２０１２９０４４７９を基礎とする優先権を主張し、その開示の全てをここに取り込む。
【符号の説明】
【００４９】
１００  無線通信システム
１０１  ＥＶＯＬＶＥＤ  ＮＯＤＥＢＳ（ｅＮＢ）
１０２  ＴＩＭＥ  ＤＩＶＩＳＩＯＮ  ＤＵＰＬＥＸ（ＴＤＤ）再設定処理機能
１０３、１０４  ユーザ機器（ＵＥ）
１０５  ＴＤＤ再設定処理機能
１０６  システム情報ブロックタイプ１（ＳＩＢ１）
１０７  ダウンリンク制御情報（ＤＣＩ）
１０８  物理ハイブリッド自動再送要求指示チャネル（ＰＨＩＣＨ）
１０９  物理アップリンク制御チャネル（ＰＵＣＣＨ）／物理アップリンク共有チャネル（ＰＵＳＣＨ）
２００  フレキシブルなサブフレーム
２０１、２０２  グループ
２０３、２０４  サブフレーム
２０５  サブセット１
２０６  サブセット２
２５０  システム
２５１から２５４  ＴＤＤ  アップリンク（ＵＬ）−ダウンリンク（ＤＬ）設定
３００  送信スキーム
３０１、３０２  ＴＤＤ  ＵＬ−ＤＬ設定
３０３  第１のＤＬサブフレーム
４００  送信スキーム
４０１、４０２  ＴＤＤ  ＵＬ−ＤＬ設定
４０３、４０３ａ  ＤＬサブフレーム
５００  ＴＤＤ再設定
５０１、５０２  ＵＬサブフレーム
５０３  不連続送信及び受信（ＤＴＸ）ビット
５０４  ＵＬサブフレーム
５０５、５０６  不連続送信及び受信（ＤＴＸ）ビット
【図１】
0006358249.tif 000003
【図２】
0006358249.tif 000004
【図３】
0006358249.tif 000005
【図４】
0006358249.tif 000006
【図５】
0006358249.tif 000007
【図６】
0006358249.tif 000008
【図７】
0006358249.tif 000009
【図８】
0006358249.tif 000010
【図９】
0006358249.tif 000011
【図１０】
0006358249.tif 000012